(57)【特許請求の範囲】
【請求項１】
所要の形状からなるルアー本体内にワイヤ部材を配置し、その一端部をルアー本体の尾部近傍の腹部中央から突出させ、この突出部にフックを係止するためのアイを形成するに際し、
前記ワイヤ部材を弾性素材で形成し、その一部に支点機能を持たせるようにするとともに、
前記アイを形成した一端部を、前記腹部中央に沿って形成した所要の幅と長さとを有するスリットから突出させてフックを装着し、
このフックを装着したワイヤ部材の一端部を、前記スリットに沿って上下方向に可動自在とさせることによって、サスペンション機能を持たせるよう構成したこと
を特徴とするルアー。
【請求項２】
前記ルアー本体は、
木製又はプラスチック製で、
頭部近傍から尾部近傍に向けて、支点機能を付与した前記ワイヤ部材を緩やかな円弧状に配置するための空隙部が形成されていること
を特徴とする請求項１に記載のルアー。
【請求項３】
前記ルアー本体は、
頭部近傍の上面部から腹部方向に、前記ワイヤ部材を配置する円筒状の第１空隙部を形成するとともに、第１空隙部の基端部に連通させて尾部方向に緩やかな円弧を描いて第２空隙部を形成し、
この第２空隙部と、前記スリットと互いに連通させ、
前記第１空隙部から前記ワイヤ部材を挿通し、第１空隙部の基端部においてＵ字状に折り返して支点機能を付与しながら先端部を前記スリットから突出させ、
ワイヤ部材の両端部にそれぞれアイを形成したこと
を特徴とする請求項１に記載のルアー。
【請求項４】
前記ルアー本体は、
頭部近傍の上面部から腹部方向に、ワイヤ部材を配置する円筒状の第１空隙部を貫通させて形成するとともに、第１空隙部の基端部に連通させて尾部方向に緩やかな円弧を描いて第２空隙部を形成し、
この第２空隙部と、前記スリットと互いに連通させ、
前記第１空隙部から前記ワイヤ部材を挿通し、その先端部をルアー本体に突出させ、ルアー本体外でＵ字状に折り返してアイを形成し、かつ支点機能を付与しながら先端部を第２空隙部に沿って這わせたのち、前記スリットから突出させ、
ワイヤ部材の先端部にそれぞれアイを形成したこと
を特徴とする請求項１に記載のルアー。
【請求項５】
前記ルアー本体は、
その胴部内の所要の部位に空隙部を形成し、この空隙部内にウエイトを保持させたこと
を特徴とする請求項１乃至４のいずれかに記載のルアー。
【発明の詳細な説明】
【０００１】
【発明の属する技術分野】
この発明は、海や湖水などに生息する魚を対象とするフィッシングに使用するルアーに関するものである。
【０００２】
【従来の技術】
ルアーは、対象とする魚によって使用する材質、形状などが相違するため多くの種類が存在するが、なかでもプラスチック製又は木製のルアー（一般的にプラグと称される。）の多くは、ボディの尾部乃至尾部近傍の腹部にフックを設けたものであるが、魚体の小さな魚は、基本的にボディの頭部付近を狙うため、頭部近傍の腹部にもフックが装着されているもので、かかる例としては、例えば、特開平１０−６６４７８号公報、特開平１１−１９６７１５号公報、特開２０００−３４２１１７号公報などを挙げることができる。
【０００３】
前記特開平１０−６６４７８号公報に記載の釣り用ルアーは、軸線に関する慣性モーメントが小さく、また適切な浮力を得ることができると共に曲げ強度及びリップの取付け強度を充分に大きくすることができ、さらに低コストで大量生産することができるもので、一本の金属ワイヤの両端部をＵ字状に折り返すとともに、中間部にもＵ字状部を形成し、先端および中間部をフック係止部としたものである。
【０００４】
特開平１１−１９６７１５号公報記載のルアーは、早くかつ深くまで沈降し、十分にアクションを起こすルアーであって、外形を魚に似せて形成した鉛製のルアー本体と、ルアー本体の頭部の上方側から尾部に渡って設けられたワイヤ部材とからなるもので、一本のワイヤ部材の一端には、ラインを係止し得るアイが、他端には、フックを係止するアイが形成されているものである。
【０００５】
特開２０００−３４２１１７号公報に記載のルアーは、安定した泳動姿勢をとり得るトップウォータ型ルアーであって、外形を魚に似せて形成された木材製のルアー本体と、ルアー本体を頭部から尾部にかけて軸方向に貫通する金属製ワイヤとから構成され、金属製ワイヤは、ルアー本体の頭部より突出した釣糸係止部と、金属製ワイヤに連続して設けられルアー本体の尾部より突出したアイを有している。
【０００６】
【発明が解決しようとする課題】
かかるルアーは、いずれもワイヤ自体に弾性がなく、ルアー本体に設けられたアイにフックを直接に、あるいはスプリットリングを介してフックを係止する方法を採用しているので、フックに魚が掛かったときの衝撃が大きく、針がのびて損傷するか、魚の口の肉切れを起こし、掛かった魚が逃げることが多いため、実開平７−７４２３号公報においては、フックをスイベルのような回転自在具を介して取付けるルアーが提案されている。
【０００７】
この発明はかかる現状に鑑み、ルアー本体に一本のワイヤを埋め込み、このワイヤに形成されたアイにフックを係止するに際し、ワイヤ部材を弾性素材で構成するとともに、ルアー本体の尾部近傍の腹部中央に形成したスリットからワイヤ部材を突出させ、この突出部に係止したフックに魚がヒットしたとき、魚の動きに合わせたてワイヤ部材をルアー内で上下動させることによってサスペンション機能を発揮させ、フック自体の損傷や掛かった魚の口切れをなくし、確実にヒットした魚を釣り上げることのできるルアーを提供せんとするものである。
【０００８】
【課題を解決するための手段】
前記の目的を達成するため、この発明のルアーは、
所要の形状からなるルアー本体内にワイヤ部材を配置し、その一端部をルアー本体の尾部近傍の腹部中央から突出させ、この突出部にフックを係止するためのアイを形成するに際し、
前記ワイヤ部材を弾性素材で形成し、その一部に支点機能を持たせるようにするとともに、
前記アイを形成した一端部を、前記腹部中央に沿って形成した所要の幅と長さとを有するスリットから突出させてフックを装着し、
このフックを装着したワイヤ部材の一端部を、前記スリットに沿って上下方向に可動自在とさせることによって、サスペンション機能を持たせるよう構成したこと
を特徴とするものである。
【０００９】
この発明の請求項２に記載の発明は、
前記請求項１に記載のルアーにおいて、
前記ルアー本体は、
前記ルアー本体は、
木製又はプラスチック製で、
頭部近傍から尾部近傍に向けて、支点機能を付与した前記ワイヤ部材を緩やかな円弧状に配置するための空隙部が形成されていること
を特徴とするルアーである。
【００１０】
この発明の請求項３に記載の発明は、
前記請求項１に記載のルアーにおいて、
前記ルアー本体は、
頭部近傍の上面部から腹部方向に、前記ワイヤ部材を配置する円筒状の第１空隙部を形成するとともに、第１空隙部の基端部に連通させて尾部方向に緩やかな円弧を描いて第２空隙部を形成し、
この第２空隙部と、前記スリットと互いに連通させ、
前記第１空隙部から前記ワイヤ部材を挿通し、第１空隙部の基端部においてＵ字状に折り返して支点機能を付与しながら先端部を前記スリットから突出させ、
ワイヤ部材の両端部にそれぞれアイを形成したこと
を特徴とするルアーである。
【００１１】
この発明の請求項４に記載の発明は、
前記請求項１に記載のルアーにおいて、
前記ルアー本体は、
頭部近傍の上面部から腹部方向に、ワイヤ部材を配置する円筒状の第１空隙部を貫通させて形成するとともに、第１空隙部の基端部に連通させて尾部方向に緩やかな円弧を描いて第２空隙部を形成し、
この第２空隙部と、前記スリットと互いに連通させ、
前記第１空隙部から前記ワイヤ部材を挿通し、その先端部をルアー本体に突出させ、ルアー本体外でＵ字状に折り返してアイを形成し、かつ支点機能を付与しながら先端部を第２空隙部に沿って這わせたのち、前記スリットから突出させ、
ワイヤ部材の先端部にそれぞれアイを形成したこと
を特徴とするルアーである。
【００１２】
この発明の請求項５に記載の発明は、
前記請求項１乃至４のいずれかに記載のルアーにおいて、
前記ルアー本体は、
その胴部内の所要の部位に空隙部を形成し、この空隙部内にウエイトを保持させたこと
を特徴とするルアーである。
【００１３】
【発明の実施の形態】
以下、この発明のルアーの好適な実施の形態を添付した図面に基づいて詳細に説明するが、図１はこの発明に係るルアーの一実施例の一部を切欠いた側面図、図２は図１におけるルアーの底面図、図３はこの発明に係るルアーの他の実施例を示す一部を切欠いた側面図、図４は図３におけるルアーの底面図、図５はこの発明に係るルアーのさらに他の実施例の一部を切欠いた側面図、図６は図５におけるルアーの底面図である。
【００１４】
この発明のルアー１は、外形をエサとなる小魚に似せて形成された木製又はＡＢＳ樹脂などのプラスチックからなるルアー本体２と、このルアー本体２内に設けられる弾性素材からなるワイヤ部材３とからなるものである。
【００１５】
ワイヤ部材３は、ピアノ線、ステンレス鋼線などの鋼線を熱処理して得られる弾性素材からなるもので、このワイヤ部材３をルアー本体２内に支点機能を付与して設けることによってサスペンション機能を有するルアー１を構成するものである。
【００１６】
すなわち、木材でルアー本体２を形成する場合は、図2に示すようにエサとなる小魚に模したルアー本体２を左右一対の半身部材２ａ，２ｂで形成し、各半身部材２ａ，２ｂの胴部の略中心に、頭部近傍の腹部から尾部近傍の腹部に向けて、緩やかな円弧状を描きながら溝３ａ，３ｂを形成し、この溝３ａ，３ｂの先端部を尾部近傍の腹部に開口させるとともに、この開口部から頭部に向けて所要の深さと長さとを有する切欠き部４ａ，４ｂを腹部中央部に形成し、この切欠き部４ａ，４ｂと前記溝３ａ，３ｂとを相互に連通させ、一方の溝３ａの基端側に、ワイヤ部材５の基端部５ａを適宜手段で固定して支点機能を持たせたのち、ワイヤ部材５を溝３ａに沿って這わせながら、その先端部を前記切欠き部４から突出させ、Ｕ字状に折り曲げてアイ５ｂを形成し、しかるのち左右一対の半身部材２ａ，２ｂを接着剤で接着固定すると、溝３ａ，３ｂによって円筒状のワイヤ保持部が、また切欠き部４ａ，４ｂによって所要の幅と長さとを有するスリット４が形成されるので、アイ５ｂにスプリットリング６を介してフック７を装着してルアー１とする。
【００１７】
かくして形成されたルアー１のフック７に魚がヒットすると、ワイヤ部材５はスリット４の長さに応じてルアー本体２内において上下動し、サスペンション機能を発揮するので、魚の口唇部等を破損させることなく確実に釣り上げることができるものである。
【００１８】
なお、図１において、８は通常エイトカンと称さ、頭部近傍の上面中央部に適宜手段で固定されるアイで、スプリットリング６を介してリーダー９と連結するものである。また、ルアー本体２内には、ルアー１の飛距離を伸ばすため、さらにはルアー１の泳動姿勢を安定させるためなどの目的で、塊状の、あるいは複数の球状物からなるウエイトｗを配置するための空洞部１０を形成してもよい。
【００１９】
図３および図４は、この発明に係るルアーの第２の実施例を示すもので、このルアー１１は、ルアー本体１２の頭部近傍の上面部から腹部方向に、弾性素材からなるワイヤ部材１５を挿通するための円筒状の第１空隙部１３ａを形成するとともに、第１空隙部１３ａの基端部に連通させて尾部方向に緩やかな円弧を描いて第２空隙部１３ｂを形成し、この第２空隙部１３ｂと、前記尾部近傍の腹部中央に沿って形成したスリット１４と互いに連通させ、前記第１空隙部１３ａから前記ワイヤ部材１５を挿通し、第１空隙部１３ａの基端部において、Ｕ字状に折り返して支点１５ａを形成しながら他端部を前記スリット１４から突出させ、ワイヤ部材１５の各端部にアイ１５ｂ，１５ｃをそれぞれ形成したものである。
【００２０】
なお、図中、１６はスプリットリング、１９はリーダーを示し、ルアー本体１２内には、ルアー１１の飛距離を伸ばすため、さらにはルアー１１の泳動姿勢を安定させるためなどの目的で、塊状の、あるいは複数の球状物からなるウエイトｗを配置するための空洞部１８を形成してもよい。
【００２１】
かかる構成のルアー１１は、フック１７に魚がヒットすると、ワイヤ部材１５は、支点１５ａを基点としてスリット１４の長さに応じてルアー本体１２内において上下動し、サスペンション機能を発揮するので、魚の口唇部等を破損させることなく確実に釣り上げることができるものである。
【００２２】
図５および図６は、この発明に係るルアーの第３の実施例を示すもので、このルアー２１は、ルアー本体２２の頭部近傍の上面部から腹部方向に、ワイヤ部材２５を挿通させるのに必要な径を有する円筒状の第１空隙部２３ａを貫通させて形成するとともに、第１空隙部２３ａの基端部に連通させて尾部方向に緩やかな円弧を描いて同じく第２空隙部２３ｂを形成し、この第２空隙部２３ｂと、前記尾部近傍の腹部中央に沿って形成したスリット２４と互いに連通させ、前記第１空隙部２３ａから弾性素材からなるワイヤ部材２５を挿通し、その先端部をルアー本体２２に突出させ、ルアー本体２２外でＵ字状に折り返してアイ２５ａを形成して支点としたのち、その先端部を第２空隙部２３ｂ内に這わせながら、先端部を前記スリット２４から突出させ、ワイヤ部材２５の各端部にアイ２５ｂ、２５ｃを形成したものである。
【００２３】
なお、図中、２６はスプリットリング、２９はリーダーを示し、ルアー本体２２内には、ルアー２１の飛距離を伸ばすため、さらにはルアー２１の泳動姿勢を安定させるためなどの目的で、塊状の、あるいは複数の球状物からなるウエイトｗを配置するための空洞部２８を形成してもよい。
【００２４】
かかる構成のルアー２１は、アイ２５ａとアイ２５ｃにそれぞれフック２７、２７をそれぞれ係止させて使用するもので、尾部側のフック２７に魚がヒットすると、ワイヤ部材２５は、アイ２５ａを支点としてスリット２４の長さに応じてルアー本体２２内において上下動し、サスペンション機能を発揮するので、魚の口唇部を破損させることなく確実に釣り上げることができるものである。
【００２５】
なお、この発明の第１の実施例におけるルアーは、ルアー本体を２分割する例で説明したが、プラスチックを使用してインサート成形によって得ることも当然可能なもので、要は、弾性素材からなるワイヤ部材をルアー本体内に配置するに際し、ワイヤ部材の一部に支点機能を保持させ、フックを装着するためのアイを形成した一端部を尾部近傍の腹部中央に形成したスリットから突出せしめ、前記アイに装着したフックに魚がヒットしたとき、魚の動きに合わせてワイヤ部材の一端部が支点を基点としてスリット内を上下動し、ワイヤ部材にサスペンション機能を付与する構成であれば、ルアー本体の素材や製法、さらには弾性素材からなるワイヤ部材の形状については特段の限定はないものである。
【００２６】
【発明の効果】
この発明のルアーは、ルアー本体内に弾性素材からなるワイヤ部材を、その一部に支点機能を持たせて配置するとともに、その一端部を尾部近傍の腹部底面の中央に沿って形成したスリットから突出させてアイを形成し、このアイに装着されたフックに魚がヒットしたとき、魚の動きに合わせてワイヤ部材が支点を中心としてスリット内を上下動し、ワイヤ部材にサスペンション機能が付与され、魚の口唇などを損傷することなく、確実に釣り上げることができる。
【図面の簡単な説明】
【図１】この発明に係るルアーの一実施例の一部を切欠いた側面図である。
【図２】図１におけるルアーの底面図である。
【図３】この発明に係るルアーの他の実施例を示す一部を切欠いた側面図である。
【図４】図３におけるルアーの底面図である。
【図５】この発明に係るルアーのさらに他の実施例の一部を切欠いた側面図である。
【図６】図５におけるルアーの底面図である。
【符号の説明】
１，１１，２１        ルアー
２，１２，２２        ルアー本体
３ａ，３ｂ            溝
４，１４，２４        スリット
４ａ，４ｂ            切欠き部
５，１５，２５        ワイヤ部材
５ｂ，１５ｂ，２５ｂ  アイ
６，１６，２６        スプリットリング
７，１７，２７        フック
【図１】
0003546388.tif 000002
【図２】
0003546388.tif 000003
【図３】
0003546388.tif 000004
【図４】
0003546388.tif 000005
【図５】
0003546388.tif 000006
【図６】
0003546388.tif 000007